(57)【要約】【課題】  温度の上昇に伴って動作モードが自動的に切り替わる場合に、ユーザが受け入れられる動作モードに自動的に切り替えられるようにする。【解決手段】  電子機器（１０１）は、蓄電部の温度または電子機器内部の温度を検出する温度検出手段と、第一の動作モードよりも消費電力が小さい複数の動作モードの中から第二の動作モードを選択する選択手段と、第一の温度を記憶する手段と、第一の動作モードから第二の動作モードに変更する変更手段と、温度検出手段が第一の温度を検出した場合に、電子機器の動作モードを第一の動作モードから第二の動作モードに変更するための制御を行う制御手段とを有する。【選択図】  図１
2019186806.tif 000002
【特許請求の範囲】
【請求項１】
電子機器であって、
蓄電部の温度または前記電子機器内部の温度を検出する温度検出手段と、
第一の動作モードよりも消費電力が小さい複数の動作モードの中から第二の動作モードを選択する選択手段と、
第一の温度を記憶する手段と、
前記第一の動作モードから前記第二の動作モードに変更する変更手段と、
前記温度検出手段が前記第一の温度を検出した場合に、前記電子機器の動作モードを前記第一の動作モードから前記第二の動作モードに変更するための制御を行う制御手段と
を有することを特徴とする電子機器。
【請求項２】
前記第一の温度よりも低い第二の温度を記憶する手段をさらに有し、
前記温度検出手段が前記第二の温度を検出した場合、前記制御手段は、前記第二の温度から前記第一の温度までの残り時間を表示部に表示するための制御を行い、
前記残り時間が終了した場合または前記温度検出手段が前記第一の温度を検出した場合、前記制御手段は、前記電子機器の動作モードを前記第一の動作モードから前記第二の動作モードに変更するための制御を行うことを特徴とする請求項１に記載の電子機器。
【請求項３】
温度の限度値を記憶する手段と、
前記電子機器の動作モードが前記第二の動作モードである場合に、前記第一の温度から前記温度の限度値までの残り使用時間を算出する手段と
をさらに有し、
前記電子機器の動作モードが前記第二の動作モードである場合、前記制御手段は、前記残り使用時間を前記表示部に表示するための制御を行い、
前記残り使用時間が終了した場合または前記温度検出手段が限度値を検出した場合、前記制御手段は、前記第二の動作モードを停止するための制御を行うことを特徴とする請求項１または２に記載の電子機器。
【請求項４】
前記蓄電部の出力を遮断するための保護素子をさらに有し、
前記温度検出手段は、前記保護素子の温度を検出することを特徴とする請求項１乃至３のいずれか１項に記載の電子機器。
【発明の詳細な説明】
【技術分野】
【０００１】
本発明は、電池パックから供給される電力で動作する電子機器に関するものである。
【背景技術】
【０００２】
電子機器の小型化と高機能化が進み、動作中の温度上昇が増大して、高機能で動作する動作モードでは連続で使用可能な時間が制限される電子機器が増えてきている。特許文献１には、電子機器の発熱を低減する方法が記載されている。
【先行技術文献】
【特許文献】
【０００３】
【特許文献１】特開２００２−９０８５１号公報
【発明の概要】
【発明が解決しようとする課題】
【０００４】
特許文献１では、電子機器の温度上昇を検出して高消費電力の動作モードから予め設定された低消費電力の動作モードに切り替えることにより、電子機器の連続動作時の温度上昇が抑えられる効果が期待できる。
【０００５】
しかしながら、その反面、予め設定された低消費電力の動作モードに自動的に変更されるため、ユーザが望まない動作モードに自動的に切り替わってしまう可能性がある。
【０００６】
そこで、本発明は、温度の上昇に伴って動作モードが自動的に切り替わる場合に、ユーザが受け入れられる動作モードに自動的に切り替えられるようにすることを目的とする。
【課題を解決するための手段】
【０００７】
本発明に係る電子機器は、電子機器であって、蓄電部の温度または前記電子機器内部の温度を検出する温度検出手段と、第一の動作モードよりも消費電力が小さい複数の動作モードの中から第二の動作モードを選択する選択手段と、第一の温度を記憶する手段と、前記第一の動作モードから前記第二の動作モードに変更する変更手段と、前記温度検出手段が前記第一の温度を検出した場合に、前記電子機器の動作モードを前記第一の動作モードから前記第二の動作モードに変更するための制御を行う制御手段とを有する。
【発明の効果】
【０００８】
本発明によれば、温度の上昇に伴って動作モードが自動的に切り替わる場合に、ユーザが受け入れられる動作モードに自動的に切り替えることができる。
【図面の簡単な説明】
【０００９】
【図１】実施形態１における電池パック１１４の構成要素と実施形態１における電子機器１０１の構成要素とを説明するためのブロック図である。
【図２】蓄電部１２２を内蔵する電子機器１３０の構成要素を説明するためのブロック図である。
【図３】自動切り替えモード選択表示の例を示す図である。
【図４】自動切り替え後の表示の例を示す図である。
【図５】実施形態１における電子機器１０１の動作例を説明するためのフローチャートである。
【図６】ステップＳ１０２で行われる第二の動作モード指定の例を説明するためのサブフローチャートである。
【図７】ステップＳ１０４で行われる温度情報取得の例を説明するためのサブフローチャートである。
【図８】自動切り替え時間報知表示の例を示す図である。
【図９】実施形態２における電子機器１０１の動作例を説明するためのフローチャートである。
【図１０】ステップＳ２０３で行われる第一の動作モード残時間決定の例を説明するためのサブフローチャートである。
【図１１】実施形態３における電子機器１０１で用いられるデータテーブルの例を説明するための図である。
【図１２】自動切り替え後の使用残り時間表示の例を示す図である。
【図１３】実施形態３における電子機器１０１の動作例を説明するためのフローチャートである。
【図１４】ステップＳ３０１で行われる第二の動作モード使用時間決定の例を説明するためのサブフローチャートである。
【図１５】実施形態４における電池パック６０１の構成要素と実施形態４における電子機器１０１の構成要素とを説明するためのブロック図である。
【発明を実施するための形態】
【００１０】
以下、図面を参照して本発明の実施形態を説明する。ただし、本発明は以下の実施形態に限定されるものではない。
【００１１】
［実施形態１］
実施形態１では、温度が上昇して動作モードを切り替える必要が生じた場合に、ユーザが受け入れられる動作モードへの自動切り替えを実現する手段について説明する。
【００１２】
図１は、実施形態１における電池パック１１４の構成要素と実施形態１における電子機器１０１の構成要素とを説明するためのブロック図である。
【００１３】
１０１は電子機器、１０２は電子機器の制御部、１０３は電子機器の演算部、１０４はモード制御部、１０５は計時部、１０６は電子機器の記憶部、１０７は負荷回路、１０８は電子機器の通信部、１０９は電源部、１１０は表示部である。
【００１４】
１１１は電子機器の通信端子、１１２は電子機器の正端子、１１３は電子機器の負端子、１１４は電池パック、１１５は電池パックの制御部、１１６は電池パックの演算部、１１７は電圧検出部、１１８は温度検出部、１１９は電流検出部である。
【００１５】
１２０は電池パックの記憶部、１２１は電池パックの通信部、１２２は蓄電部、１２３は感温素子、１２４は抵抗器、１２５は電池パックの通信端子、１２６は電池パックの正端子、１２７は電池パックの負端子である。
【００１６】
電子機器１０１は、表示部を有する機器（例えば、デジタルカメラ、デジタルビデオカメラ、携帯電話等）であり、電池パック１１４から供給される電力で動作する。電池パック１１４は、制御部１１５と、蓄電部である二次電池１２２と、周辺回路とを有する。
【００１７】
電池パック１１４は、正端子１２６および負端子１２７から電子機器１０１に電力を供給すると共に、不図示の充電器から電力を受けて二次電池１２２の充電を行う。さらに、電池パック１１４は、制御部１１５の通信部１２１のデータを通信端子１２５に出力し、電子機器１０１の通信端子１１１に接続することで、電子機器１０１との通信を可能にしている。
【００１８】
電池パック１１４の電圧検出部１１７は、二次電池１２２の電圧を検出する。二次電池１２２の出力電流は、抵抗器１２４を介して外部に供給されるため、抵抗器１２４の両端の電圧を電流検出部１１９が検出して出力電流として判定する。また、二次電池１２２の充電電流は、抵抗器１２４を介して供給されるため、抵抗器１２４の両端の電圧を電流検出部１１９が検出して充電電流として判定する。演算部１１６は、二次電池１２２の出力電流の値と充電電流の値とを時間で積分して二次電池１２２の残容量を算出し、さらに記憶部１２０に残容量として記憶する。
【００１９】
電池パック１１４の感温素子の例であるサーミスタ１２３は、二次電池１２２の温度を検出可能に配置され、サーミスタ１２３の状態は温度検出部１１８で検出される。温度検出部１１８で検出された温度情報は、二次電池１２２と正端子１２６または二次電池１２２と負端子１２７に直列に介挿される不図示のスイッチにより保護を行うために用いられる。また、この温度情報は、演算部１１６における残容量の補正制御に用いられる。
【００２０】
二次電池１２２に見られる一般的特性として、温度環境による放電効率の変化がある。例えば、低温環境では、二次電池１２２の放電効率が低下するため、基となる残容量のデータに所定の温度係数を乗算し、その温度環境で出力可能な残容量を算出する。この算出された残容量データは、記憶部１２０に記憶され、電子機器１０１からの要求に対応して通信部１２１から出力される。
【００２１】
電池パック１１４の通信部１２１から送信される残容量データ、電圧データ、電流データおよび温度データは、通信端子１２５に出力され、電子機器１０１の通信端子１１１に入力される。
【００２２】
電子機器１０１の通信端子１１１に入力された通信データは、制御部１０２の通信部１０８に伝達され、演算部１０３で残り使用時間等の算出に用いられる。この算出された残り使用時間を電子機器１０１に内蔵する表示部１１０に表示することにより、ユーザは電池パック１１４の残り使用時間情報を得ることが可能になる。
【００２３】
電池パック１１４の正端子１２６は、電子機器１０１の正端子１１２に接続されている。電池パック１１４の負端子１２７は、電子機器１０１の負端子１１３に接続されている。電子機器１０１の電源部１０９に供給された電池パック１１４の電力は、電子機器１０１内部の各構成要素に供給される。
【００２４】
次に、電子機器１０１の制御部１０２が行う、低消費電力の動作モードに自動的に変更する場合のフローの説明を行う。
【００２５】
電子機器１０１は、不図示の静止画の撮影間隔を設定する手段を有している。
この撮影間隔の設定手段は、キーの押下による操作でもよいし、ＬＣＤ画面上でのタッチパネルによる操作でもよい。
【００２６】
電子機器１０１は、例えば消費電力の大きい動作モードとして、秒間１０コマの第一の動作モードを有している。また、電子機器１０１は、上述の第一の動作モードより消費電力の小さい第二の動作モードを有しており、第二の動作モードの秒間コマ数はユーザが任意に設定することが可能になっている。この第二の動作モードは、第一の動作モードの実行中に、電池パック１１４の二次電池１２２の温度が高くなった場合、温度上昇を低減させるための手段として予め設定する。
【００２７】
図３は、実施形態１における電子機器１０１の、自動切り替えモード選択表示の例を示す図である。
【００２８】
２０１は表示部の表示、２０２は通常モードの秒間コマ数表示、２０３は高温時の自動切り替えモード設定画面、２０４は選択表示である。
【００２９】
ユーザは、例えばメニュー設定でＬＣＤ上に自動切り替えモード選択表示を行い、第一の動作モードである通常モードの秒間コマ数設定と第二の動作モードである高温時モードの秒間コマ数設定とを行う。実施形態１の図３では、第二の動作モードとして秒間６コマが選択されている。動作モードの設定方法の詳細については、一般的なユーザインターフェース手段で可能なため、本実施形態では省略する。
【００３０】
電子機器１０１の記憶部１０６には、第一の設定温度情報が記憶されている。
なお、上述の第一の設定温度の情報は、電池パック１１４の制御部１１５の記憶部１２０に記憶してもよい。その場合、電子機器１０１は通信部１０８が通信手段を用いて電池パック１１４から設定された温度情報を取得する。
【００３１】
電子機器１０１は、第一の動作モードで動作中、電池パック１１４から温度検出部１１８で検出した二次電池１２２の温度データを取得し、上述の第一の設定温度との比較を行う。そして、二次電池１２２の温度が、上述の第一の設定温度まで上昇すると、電子機器１０１のモード制御部１０４が第二の動作モードに自動切り替えを行う。
【００３２】
図４は、実施形態１における電子機器１０１の、自動切り替え後の表示の例を示す図である。３０１は表示部の表示、３０２は第二の動作モードの秒間コマ数表示、３０３は第二の動作モードの秒間コマ数に切り替わっていることの報知表示である。
【００３３】
次に、図５のフローチャートを参照して、実施形態１における電子機器１０１の動作例を説明する。
【００３４】
ステップＳ１０１はＳＴＡＲＴ、ステップＳ１０２は第二の動作モード指定、ステップＳ１０３は第一の動作モード、ステップＳ１０４は温度情報取得、ステップＳ１０５は第一の設定温度参照、ステップＳ１０６は第一の設定温度以上、ステップＳ１０７は第二の動作モード、ステップＳ１０８は表示部に表示である。ステップＳ１０９は動作終了、ステップＳ１１０はＥＮＤである。
【００３５】
電子機器１０１に電池パック１１４から駆動電力が供給されると、ステップＳ１０１で制御をスタートする。
【００３６】
ステップＳ１０２では、ユーザが例えば第二の動作モードである秒間６コマの指定を行う。ステップＳ１０２から図６のサブステップに移行する。
【００３７】
図６は、ステップＳ１０２で行われる第二の動作モード指定の例を説明するためのサブフローチャートである。ステップＳＳ１０１は希望する秒間コマ数の一覧表示、ステップＳＳ１０２は高温時の秒間コマ数を指定である。
【００３８】
ステップＳＳ１０１では、ユーザが表示部１１０にメニュー画面を表示して、設定可能な秒間コマ数の一覧表示を行う。
【００３９】
ステップＳＳ１０２では、ユーザが設定可能な秒間コマ数の一覧表示の中から、高温時に希望する秒間コマ数を指定する。ステップＳＳ１０２から図５のステップＳ１０３に移行する。
【００４０】
ステップＳ１０３では、ユーザが電子機器１０１の操作を行い、第一の動作モードで駆動させる。
【００４１】
ステップＳ１０４では、温度情報の取得が行われる。ステップＳ１０４から図７のサブステップに移行する。
【００４２】
図７は、ステップＳ１０４で行われる温度情報取得の例を説明するためのサブフローチャートである。ステップＳＳ２０１は、電池パックと通信、ステップＳＳ２０２は二次電池温度取得である。
【００４３】
ステップＳＳ２０１では、電子機器１０１が電池パック１１４に二次電池１２２の温度情報を要求する。
【００４４】
ステップＳＳ２０２では、電池パック１１４が電子機器１０１の要求に応じて、二次電池１２２の温度情報を返信する。ステップＳＳ２０２から図５のステップＳ１０５に移行する。
【００４５】
ステップＳ１０５では、電子機器１０１の記憶部１０６に記憶されている、第一の設定温度情報を参照する。
【００４６】
ステップＳ１０６では、電池パック１１４から取得した二次電池１２２の温度と、第一の設定温度を比較する。ステップＳ１０６で二次電池１２２の温度が第一の設定温度以上の場合、ステップＳ１０７に移行する。ステップＳ１０６で二次電池１２２の温度が第一の設定温度よりも低い場合、ステップＳ１０８に移行する。
【００４７】
ステップＳ１０７では、第一の動作モードから第二の動作モードに自動的に切り替わる。
【００４８】
ステップＳ１０８では、電子機器１０１の表示部１１０に、第二の動作モード（秒間コマ数６コマ）に切り替わった旨の表示を行う。
【００４９】
ステップＳ１０９では、ユーザが撮影動作を継続していればステップＳ１０４に移行し、撮影動作を終了していればステップＳ１１０で終了する。
【００５０】
実施形態１の動作モードの自動切り替え制御を行うことにより、温度が上昇して動作モードを切り替える必要が生じた場合に、ユーザが受け入れられる動作モードへの自動切り替えが可能になる。
【００５１】
なお、実施形態１では電池パック１１４の第一の設定温度情報を基に自動的に動作モードを切り替える例を示したが、電子機器１０１内部の特定箇所の温度を検出して、自動的に動作モードを切り替えるようにしてもよい。
【００５２】
実施形態１では、電池パック１１４が電子機器１０１に取り外し可能に接続される例を説明したが、電子機器１０１の構成は、電子機器１０１が電池パック１１４を内蔵した構成としてもよい。電池パック１１４を内蔵した電子機器１０１の構成を図２に示す。図２に示す電子機器１３０は、電池パック１１４を内蔵した電子機器１０１の構成の例を示す。図２に示す電子機器１３０の構成要素のうち、図１に示す構成要素と同様に機能する構成要素については、同一の符号を付してそれらの説明を省略する。
【００５３】
［実施形態２］
実施形態２では、第一の動作モードで動作中、第二の動作モードに切り替わるまでの時間の表示を実現する手段について説明する。なお、実施形態２における電子機器１０１の構成要素は、実施形態１における電子機器１０１の構成要素と同様であるので、それらの説明を省略する。ただし、電子機器１０１の記憶部１０６には、上述の第一の設定温度よりも低い、第二の設定温度の情報が記憶されている。第二の設定温度の情報は、上述の第一の動作モードの動作が継続された場合に、二次電池１２２の温度が所定の時間に上述の第一の設定温度に達する温度に設定されている。実施形態２では、上述の所定の時間を１分間として説明する。なお、上述の第二の設定温度の情報は、電池パック１１４の制御部１１５の記憶部１２０に記憶してもよい。
【００５４】
電池パック１１４からの温度データが第二の設定温度に達すると、電子機器１０１の制御部１０２は計時部１０５を起動し、タイマーの値を所定の時間の１分に設定して、第二の動作モードに自動的に切り替わるまでの残り時間を決定する。また、表示部１１０に、上述の残り時間後に第二の動作モードに自動的に切り替わる旨の表示を行う。
【００５５】
図８は、実施形態２における電子機器１０１の、自動切り替え時間報知表示の例を示す図である。４０１は表示部の表示、４０２は現在の秒間コマ数表示、４０３は高温時の秒間コマ数に切り替わる時間の報知表示である。
【００５６】
次に、図９のフローチャートを参照して、実施形態２における電子機器１０１の動作例を説明する。なお、図９に示すステップのうち、図５に示すステップと同様の処理を行うステップについては、同一の符号を付してそれらの説明を省略する。
【００５７】
ステップＳ２０１は第二の設定温度参照、ステップＳ２０２は第二の設定温度以上、ステップＳ２０３は第一の動作モード残時間決定、ステップＳ２０４は第一タイマー終了、ステップＳ２０５は第一タイマークリアである。
【００５８】
ステップＳ１０４で二次電池１２２の温度情報を取得した後、ステップＳ２０１に移行する。ステップＳ２０１では、電子機器１０１の記憶部１０６に記憶されている、第二の設定温度情報を参照する。
【００５９】
ステップＳ２０２では、電池パック１１４から取得した二次電池１２２の温度と、第二の設定温度を比較する。ステップＳ２０２で、第二の設定温度未満であれば、ステップＳ２０５に移行する。ステップＳ２０２で二次電池１２２の温度が第二の設定温度以上の場合、ステップＳ２０３に移行する。ステップＳ２０３から図１０のサブステップに移行する。
【００６０】
図１０は、ステップＳ２０３で行われる第一の動作モード残時間決定の例を説明するためのサブフローチャートである。ステップＳＳ３０１は所定時間参照、ステップＳＳ３０２は第一タイマー時間設定、ステップＳＳ３０３は第一タイマー動作、ステップＳＳ３０４は残時間決定である。
【００６１】
ステップＳＳ３０１では、第二の設定温度から第一の設定温度までの所定時間を参照する。
【００６２】
ステップＳＳ３０２では、ステップＳＳ３０１の所定時間を第一タイマー時間に設定する。
【００６３】
ステップＳＳ３０３では、第一タイマーが動作する。
【００６４】
ステップＳＳ３０４では、第一タイマーの残り時間を残時間として決定する。ステップＳＳ３０４から図９のステップＳ１０５に移行する。
【００６５】
ステップＳ１０５では、第一の設定温度を参照する。
【００６６】
ステップＳ１０６では、二次電池１２２の温度が第一の設定温度よりも低い場合、ステップＳ２０４に移行する。
【００６７】
ステップＳ２０４では、第一タイマーが終了していなければ、ステップＳ１０４に移行する。ステップＳ２０４で、第一タイマーが終了していれば、ステップＳ１０７に移行する。
【００６８】
ステップＳ２０５では、第一タイマーのクリアが行われ、ステップＳ１０４に移行する。
【００６９】
なお、上述の第一の設定温度から第二の設定温度に達するまでの所定の時間は、メニュー操作等により、ユーザが任意に設定できるようにしてもよい。
【００７０】
［実施形態３］
実施形態３では、高温時に第二の動作モードに切り替わった後、第二の動作モードで継続して使用可能な時間の表示を実現する手段について説明する。なお、実施形態３における電子機器１０１の構成要素は、実施形態１における電子機器１０１の構成要素と同様であるので、それらの説明を省略する。ただし、電子機器１０１の記憶部１０６には、二次電池１２２の上限温度情報が記憶されている。この上限温度は、二次電池１２２が安全に動作可能な温度の上限値に設定されている。なお、上述の上限温度情報は、電池パック１１４の記憶部１２０に記憶してもよい。
【００７１】
図１１は、実施形態３における電子機器１０１で用いられるデータテーブルの例を説明するための図である。図１１には、動作モードの秒間コマ数毎の、経過時間と温度上昇値の関係が示してある。図１１において、秒間コマ数が１０枚の場合、１分間での温度上昇値が１１℃であることを示している。秒間コマ数が８枚の場合、１分間での温度上昇値が９℃であることを示している。秒間コマ数が６枚の場合、１分間での温度上昇値が７℃であることを示している。秒間コマ数が４枚の場合、１分間での温度上昇値が５℃であることを示している。このデータテーブルを参照し、現在の温度から温度上限値に達するまでの使用時間を算出する。また計時部１０５を用いて、算出した使用時間を減少させて表示部１１０に表示を行う。
【００７２】
図１２は、実施形態３における電子機器１０１の、自動切り替え後の使用残り時間表示の例を示す図である。５０１は表示部の表示、５０２は第二の動作モードの秒間コマ数表示、５０３は第二の動作モードで継続して使用可能な時間の報知表示である。
【００７３】
次に、図１３のフローチャートを参照して、実施形態３における電子機器１０１の動作例を説明する。なお、図１３に示すステップのうち、図５または図９に示すステップと同様の処理を行うステップについては、同一の符号を付してそれらの説明を省略する。
【００７４】
ステップＳ３０１は、第二の動作モード使用残時間決定、ステップＳ３０２は第二タイマー終了、ステップＳ３０３は動作モード停止である。ステップＳ１０７で第二の動作モードに切り替わった後、ステップＳ３０１に移行する。ステップＳ３０１から図１４のサブステップに移行する。
【００７５】
図１４は、ステップＳ３０１で行われる第二の動作モード使用時間決定の例を説明するためのサブフローチャートである。ステップＳＳ４０１は温度データ参照、ステップＳＳ４０２はデータテーブル参照、ステップＳＳ４０３は使用時間算出、ステップＳＳ４０４は第二タイマー時間設定、ステップＳＳ４０５は第二タイマー動作、ステップＳＳ４０６は使用残時間決定である。
【００７６】
ステップＳＳ４０１では、ステップＳ１０４で取得した二次電池１２２の現在の温度情報を参照する。
【００７７】
ステップＳＳ４０２では、図１１のデータテーブルを参照する。
【００７８】
ステップＳＳ４０３では、二次電池１２２の上限温度と現在の温度から、使用時間を算出する。例えば、二次電池１２２の上限温度が８０℃で、現在の温度が６６℃の場合、差が１４℃である。また、秒間コマ数が６コマで撮影されている場合の１分間の温度上昇値が７℃であるため、使用時間は、（１４÷７）で２分間と算出される。
【００７９】
ステップＳＳ４０４では、ステップＳＳ４０３で算出した使用時間を第二タイマー時間に設定する。
【００８０】
ステップＳＳ４０５では、第二のタイマーが動作する。
【００８１】
ステップＳＳ４０６では、ステップＳＳ４０５のタイマーの残り時間を使用残時間として決定する。ステップＳＳ４０６から図１３のステップＳ１０８に移行する。ステップＳ１０８では、ステップＳＳ４０６で決定した使用残時間が表示部１１０で表示される。
【００８２】
ステップＳ３０２では、第二タイマーが終了していなければステップＳ１０９に移行し、第二タイマーが終了していればステップＳ３０３に移行する。
【００８３】
ステップＳ３０３では、第二の動作モードが停止し、ステップＳ１１０に移行して終了する。
【００８４】
このように、第二の動作モードに切り替わった後の使用残時間表示を行うことにより、ユーザが動作モードの自動停止を事前に確認できるようになる。なお、第二の動作モードの使用残時間が所定の時間未満になると、ユーザに警告報知を行ってもよい。
【００８５】
また、実施形態３では、１分間あたりの温度上昇値のデータテーブルを基に、現在温度から温度の限度値までの使用時間を算出する手段を説明したが、取得した温度データから温度上昇率を算出し、温度の限度値までの使用時間を算出してもよい。また、温度上昇値が温度による特性を持つものであれば、演算式による使用時間の算出を行ってもよい。使用時間の算出を行う手段は、どのような方法を用いてもよい。
【００８６】
［実施形態４］
図１５は、実施形態４における電池パック６０１の構成要素と実施形態４における電子機器１０１の構成要素とを説明するためのブロック図である。なお、実施形態４における電子機器１０１の構成要素は、実施形態１における電子機器１０１の構成要素と同様であるので、それらの説明を省略する。
【００８７】
６０１は電池パック、６０２は保護素子であるＰＴＣ（ＰｏステップＳｉｔｉｖｅ  Ｔｅｍｐｅｒａｔｕｒｅ  Ｃｏｅｆｆｉｃｉｅｎｔ）スイッチである。
【００８８】
電池パック６０１は、内蔵する二次電池１２２の安全機構として、復帰型のＰＴＣスイッチ６０２を使用している。電池パック６０１のＰＴＣスイッチ６０２は、二次電池１２２の正極端子から電池パックの正端子１２６の間に介挿され、二次電池１２２の過熱を検出して電流を遮断する。
【００８９】
サーミスタ１２３は、ＰＴＣスイッチ６０２の近傍に配置されており、ＰＴＣスイッチ６０２の温度を検出することが可能になっている。実施形態４の上限温度、第一の設定温度、第二の設定温度は、ＰＴＣスイッチ６０２の作動条件を基に設定されている。この構成により、二次電池１２２の温度上昇に伴ってＰＴＣスイッチ６０２が作動する前に、自動的に第二の動作モードに切り替えることが可能になる。
【００９０】
なお、本発明の実施形態は上述の実施形態１、２、３または４に限定されるものではない。発明の要旨を逸脱しない範囲で変更または修正された上述の実施形態１、２、３または４も本発明の実施形態に含まれる。
【符号の説明】
【００９１】
１０１、１３０  電子機器
１０２  制御部
１０８  通信部
１１０  表示部
１１４  電池パック
１１５  制御部
１２１  通信部
１２２  蓄電部
１２３  感温素子
１２４  抵抗器
【図１】
2019186806.tif 000003
【図２】
2019186806.tif 000004
【図３】
2019186806.tif 000005
【図４】
2019186806.tif 000006
【図５】
2019186806.tif 000007
【図６】
2019186806.tif 000008
【図７】
2019186806.tif 000009
【図８】
2019186806.tif 000010
【図９】
2019186806.tif 000011
【図１０】
2019186806.tif 000012
【図１１】
2019186806.tif 000013
【図１２】
2019186806.tif 000014
【図１３】
2019186806.tif 000015
【図１４】
2019186806.tif 000016
【図１５】
2019186806.tif 000017